(57)【要約】【課題】合成樹脂シートのごみ袋において、袋に穴が開いた場合にごみ中の液状分が外に漏れ出ないようにするとともに、固形分と液状分を分離処理し易いごみ袋の提供。【解決手段】合成樹脂製ごみ袋１の下方に液体吸収剤５を入れて、その上方で、袋を構成する２枚の合成樹脂シートを、左右横方向に溶着ライン４に沿って、間隔を置いて溶着する。非溶着部分３の幅は、上から投入されたごみの固形分を通さないが液状分は通過する大きさとする。これにより水分や油分のような液状分を含むごみが入口から投入された場合、固形分は溶着ライン４より上に残り液状分は下の液体吸収剤５に吸収されて、袋の溶着ライン４より下方に穴が開いたとしても液状分は外へ漏れ出すことはなく、またごみの固形分と液状分を吸った液体吸収剤の分離処理が容易になる。【選択図】図１
0003117938.tif 000002
【実用新案登録請求の範囲】
【請求項１】
合成樹脂製の袋の入口から底部までの途中位置で入口側と底部側を区切るように一方の横辺側から他方の横辺側へかけて、間隔を置きながら袋材の両面間が溶着されており、該溶着部分から底部側には液体吸収剤が入っていることを特徴とする液状分分離ごみ袋。
【請求項２】
溶着部分に引きちぎり用のミシン目が入っていることを特徴とする請求項１記載の液状分分離ごみ袋。
【請求項３】
下方に液体吸収剤が入った合成樹脂製の袋に、下方に水抜き小穴が多数開けられた合成樹脂製の袋が入った２重袋であることを特徴とする液状分分離ごみ袋。
【請求項４】
下方に液体吸収剤が入った合成樹脂製の袋に、合成樹脂製の網袋が入った２重袋であることを特徴とする液状分分離ごみ袋。
【請求項５】
液体吸収剤が袋材内面にコーティングされたものであることを特徴とする請求項１ないし４のいずれか１項に記載の液状分分離ごみ袋。
【請求項６】
液体吸収剤が袋材内面に粘着テープで接着されていることを特徴とする請求項１ないし４のいずれか１項に記載の液状分分離ごみ袋。
【請求項７】
液体吸収剤が液体を吸収すると凝固するものであることを特徴とする請求項１ないし６のいずれか１項に記載の液状分分離ごみ袋。
【考案の詳細な説明】
【技術分野】
【０００１】
本考案は、水分や油分等の液状分を含んだごみを入れたときに、液状分が固形分として分離処理されやすいごみ袋の技術分野に属する。
【背景技術】
【０００２】
従来、ビニールやポリエチレン等合成樹脂製のごみ袋は、液状分の漏れない穴なしの袋か或いは、水切りなどのように液状分が排出される小穴が下方に設けられたものがある。
穴なしのものにあっては、投入したごみが水分や油分のような液状分を含んでいてもそのまま保持される。
【０００３】
穴あきのものにあっては、液状分は小穴から滲み出し袋内には固形物のみが残るものであり、家庭の台所用などで袋を目の粗いかご状のものにはめて、生ごみ等を入れ水分は排水口の方へ流し出し、水の切れた袋内のごみを袋ごと廃棄することが行われている（例えば特許文献１参照）。
【特許文献１】特開平９−２６０４号公報（［００１２］〜［００１５］、図２）
【考案の開示】
【考案が解決しようとする課題】
【０００４】
しかしながら、穴なしの袋の場合、投入ごみに液状分が含まれていれば底部に液状分が溜まる。これが漏れ出されなければ問題はないが、往々にしてごみが入り過ぎたり、或いはごみの尖鋭部分が袋を突くなどして穴が開き液状分が漏れ出すことがある。袋が容器に納められているときには外部まで漏れないにしても、容器底部を汚すこととなるし、容器から取り出して搬送する際にも液状分を垂れ流すこととなり、運搬路上を汚すことになるという問題がある。
【０００５】
穴開き袋の場合は、液状分は穴から流れ出すことが前提となっているから、例えば台所などのように流れ出した液状分が然るべく流れ込む設備のある所でなければ使用できないという制約の問題がある。
【０００６】
本考案はこのような従来のごみ袋における問題点を解消したごみ袋の提供を解決課題とするものである。
【課題を解決するための手段】
【０００７】
本考案は、上記の課題を解決するために以下の各構成を有する。
本考案の第１の構成は、合成樹脂製の袋の入口から底部までの途中位置で入口側と底部側を区切るように一方の横辺側から他方の横辺側へかけて、間隔を置きながら袋材の両面間が溶着されており、該溶着部分から底部側には液体吸収剤が入っていることを特徴とする液状分分離ごみ袋である。
【０００８】
本考案の第２の構成は、前記第１の構成において、溶着部分に引きちぎり用のミシン目が入っていることを特徴とする液状分分離ごみ袋である。
【０００９】
本考案の第３の構成は、下方に液体吸収剤が入った合成樹脂製の袋に、下方に水抜き小穴が多数開けられた合成樹脂製の袋が入った２重袋であることを特徴とする液状分分離ごみ袋である。
【００１０】
本考案の第４の構成は、下方に液体吸収剤が入った合成樹脂製の袋に、合成樹脂製の網袋が入った２重袋であることを特徴とする液状分分離ごみ袋である。
【００１１】
本考案の第５の構成は、前記第１の構成ないし第４の構成のいずれか１つの構成において、液体吸収剤が袋材内面にコーティングされたものであることを特徴とする液状分分離ごみ袋である。
【００１２】
本考案の第６の構成は、前記第１の構成ないし第４の構成のいずれか１つの構成において、液体吸収剤が袋材内面に粘着テープで接着されていることを特徴とする液状分分離ごみ袋である。
【００１３】
本考案の第７の構成は、前記第１の構成ないし第６の構成のいずれか１つの構成において、液体吸収剤が液体を吸収すると凝固するものであることを特徴とする液状分分離ごみ袋である。
【考案の効果】
【００１４】
上記手段構成を有する本考案は以下の効果を有する。
本考案の第１の構成においては、液状分を含むごみを入口から入れた場合、液状分は溶着箇所と溶着箇所の間の溶着されていない部分を通って底部側に入って行き、固形部は溶着ラインの上方に残ることになる。溶着ラインより底部側には液体吸収剤が入っているので、底部側に入って来た液状分は液体吸収剤に吸収されて液状のものはなくなってしまう。従って、その後は、何らかの理由によって袋に穴が開いたとしても液状分が漏れ出すことはないという利点がある。従って、ごみ袋を回収する際に周囲を汚すことがない。
【００１５】
第２の構成では、溶着部分に引きちぎり用のミシン目が入っているで、液状分を吸収した液体吸収剤が入っている部分を引きちぎって、ごみの固形部分が入っている部分と運搬その他の処理において別扱いにすることが可能になるという利点がある。
【００１６】
第３の構成では、下方に水抜き小穴が多数開けられた内袋にごみを投入した場合、ごみに液状分があれば小穴から液体吸収剤の入っている外袋に滲み出して液体吸収剤に吸収されるから、やはり袋が破れたとしても液状分は外へ漏れ出さないし、処理の際には内袋を外袋が引き出してそれぞれに適った運搬・処理が可能であるという利点がある。また、液状分の少ないときには、内袋だけを捨てて外袋は続けて利用可能であり、溶着することもなく、簡単で安価であるという利点がある。
【００１７】
第４の構成は、内袋を網袋としたものであり、液状分は網目から外袋へ滲み出すもので、第３の構成と同様の効果がある。
【００１８】
第５の構成においては、液体吸収剤を袋材内面にコーティングしてあるので、袋内で液体吸収剤ががさついたり、第３の構成や第４の構成の場合に液体吸収剤が外へこぼれたりすることがないという利点がある。
【００１９】
第６の構成も第４の構成と同様の利点がある。
第７の構成では、液体吸収剤が液体を吸収すると凝固するので、後処理の際、軟い状態よりも取扱い易いという利点がある。
【考案を実施するための最良の形態】
【００２０】
第１の構成および第２の構成においては、液体吸収剤は、袋が逆さまになって非溶着部分からこぼれ出ない範囲で出来るだけ小粒径であることが最良である。それは溶着ラインから底部が液体吸収剤によって不均一な厚さにならないようにするためである。また、ミシン目は非溶着部分にかからないようにして全溶着部分に入れるのが最良である。引きちぎり易くなるからである。
【００２１】
第３の構成においては、外袋に入れた液体吸収剤がこぼれ出さぬよう内袋の径は、外袋の径よりもわずかに小さくしておくのが最良である。
【実施例】
【００２２】
以下、本考案の実施例を図面を参照して説明する。
図１は、本考案の第１の構成の実施例を示す図である。合成樹脂製ごみ袋１は、ビニールやポリエチレン等の合成樹脂シートを袋状にしたものである。
この袋の底部寄りに液体吸収剤５を入れて、その上あたりを左側辺から右側辺にかけて、高周波ウェルダ等によって向こう側のシートと手前側のシートを間欠的に溶着してある。即ち、溶着部分２と非溶着部分３が交互になるようにして溶着されている。全体として溶着ライン４を形成している。
【００２３】
袋の入口から、水分、油分その他の液状分を含んだごみを投入すると固形分は溶着ライン４で阻止されて下へは行かないが、液状分は非溶着部分３を通って下方へ入り込む。溶着ラインの下方にはポリアクリル酸ナトリウム等の液体吸収剤が入っているので、非溶着部分３を通った液状分は液体吸収剤に吸収されゲル化する。このように、ごみは固形分と液状分に分離され、液状分も液体吸収剤によってゲル化するので、尖ったごみによって袋に穴が開いたとしても液状分が滲み出して来るということはなくなるので、ごみ袋の置き場や或いは手持ちで運んだりするときの通路を汚す心配はなくなる。
【００２４】
図２は、溶着部分２にミシン目１０を入れたものである。
このミシン目１０は、非溶着部分３にはかからぬように入れてある。もし、非溶着部分３にミシン目が入ると袋に穴が開いているのと同じことになり、そこから液状分が外部へ漏れ出してしまうからである。
このミシン目１０があると、袋にごみを投入して或る程度の時間が経過して、固形分と液状分が分離され液状分がゲル化した後、引きちぎって両者を分離し易くなり、固形分とゲル化部分を別処理するに当り、仕分け作業を迅速に行うことができるという利点がある。
【００２５】
図３は、第３の構成の実施例の構成を示す図である。
この構成は、（ａ）に示すように下方に水抜き用の小穴８が多数開けられた内袋６を、（ｂ）のように底の方に液体吸収剤５が入っている外袋７の中に入れて（ｃ）のような２重袋にしたものである。
【００２６】
ごみは（ｃ）の状態で内袋６へ入れる。ごみの液状分は小穴８から漏れ出して外袋７の液体吸収剤５に吸収される。その後、ごみの固形物の入った内袋６を取り出し、内袋６と外袋７とは分別処理が可能となる。液状分が少ないときには、内袋６の方のみを処分し、外袋の方は続けて利用が可能である。
この構成のものは安価であり、また簡単であるという利点がある。
【００２７】
図４は、第４の構成の実施例の構成を示す図で、内袋６は合成樹脂製の網状シートで作られている。ごみの液状分は網目１２から滲み出して外袋７の液体吸収剤に吸収される。その他は図３の場合と同様である。
【００２８】
図５は、液体吸収剤の、袋内への収納形態に関する他の例を示す図である。
図１〜図４においては、液体吸収剤５はただ入れてあるだけであるが、図５の（ａ）では袋の底部近くの内側に液体吸収剤をコーティングした例である。
図５の（ｂ）は、袋の底部近くの内側に粘着帯９を設け、これに粒状の液体吸収剤を粘着させた例である。
いずれの場合も、袋を横や斜めにしても液体吸収剤が一方側に片寄って膨れるということがないという利点がある。
【図面の簡単な説明】
【００２９】
【図１】本考案の第１の構成の実施例を示す図である。
【図２】図１の溶着部分に引きちぎりを容易ならしめるミシン目を入れた実施例を示す図である。
【図３】本考案の第３の構成の実施例を示す図である。
【図４】本考案の第４の構成の実施例を示す図である。
【図５】図１、図２、図３、図４における液体吸収剤の収納形態の他の実施例を示す図である。
【符号の説明】
【００３０】
１  合成樹脂製ごみ袋
２  溶着部分
３  非溶着部分
４  溶着ライン
５  液体吸収剤
６  内袋
７  外袋
８  小穴
９  粘着帯
１０  ミシン目
１１  液体吸収剤コーティング
１２  網目
【図１】
0003117938.tif 000003
【図２】
0003117938.tif 000004
【図３】
0003117938.tif 000005
【図４】
0003117938.tif 000006
【図５】
0003117938.tif 000007